(57)【特許請求の範囲】
【請求項１】
入口から入球される遊技球を同入口よりも下方に設けられた出口に誘導する遊技球誘導部材を備えた遊技機であって、
前記遊技球誘導部材は、
上下方向へ配向されつつ略平行且つ時計方向に隣り合うように配置された三以上の複数の支柱と、各支柱から隣り合う一方の支柱へ向けて突出し、所定間隔で螺旋状に設けられる略Ｖ字形の二股部材とを備え、
上記二股部材に形成された略Ｖ字形の溝に上記遊技球を徐々に落ち込ませて同二股部材の先端側へ誘導するとともに、同二股部材と隣接する二股部材の付け根部位と上記支柱とより、同遊技球の動きを規制しつつ、同二股部材の先端側を通過させて下方に隣接する二股部材に形成された略Ｖ字形の溝へ誘導することを特徴とする遊技機。
【発明の詳細な説明】
【技術分野】
【０００１】
本発明は、入口から入球される遊技球を同入口よりも下方に設けられた出口に誘導する遊技球誘導部材を備えた遊技機に関する。
【背景技術】
【０００２】
従来の遊技球誘導部材１，１は、図８に示すように、遊技機の遊技盤の中央に取り付けられた表示装置用カバーの開口２の左右両脇に一対配置されている。そして、開口２の上方に形成された上側通過口３に入った遊技球は遊技球誘導部材１，１の上端に設けられた入口に入球し、下端に設けられた出口に誘導される。
遊技球は、出口から放出されると、開口２の下方に設けられたスロープ４に導かれ、スロープ４の後側に設けられた下側通過口へと流下していく。
【０００３】
このとき、スロープ４に導かれた遊技球の速度が大きいと、すぐには下側通過口へ流下せず、遊技がスムーズに進行しないことがある。そこで、例えば、特許２７８４７３１号公報に開示された遊技球誘導装置のように、表示装置の左右に配置される遊技球誘導部材を中空通路とし、この中空通路に内部を移動する遊技球の移動速度を減速させる落下速度抑制部材を設けたものも知られている。この遊技球誘導装置によると、中空通路に設けた落下速度抑制部材により入球時の速度を減速させて遊技球を出口に導くことができるので、遊技球を出口から減速された状態で放出できるとしている。
【発明の開示】
【発明が解決しようとする課題】
【０００４】
上述した従来の技術においては、次にような課題があった。
【０００５】
すなわち、中空通路に落下速度抑制部材を設けて遊技球を通過させなければならないため、遊技球誘導部材を設けるために広い空間が必要であった。また、落下速度抑制部材を設けた中空通路を形成する加工が容易ではなく、遊技球誘導部材の製造効率が良くなかった。
【０００６】
本発明は、上記課題にかんがみてなされたもので、設置スペースを低減させるとともに、製造効率を向上させることの可能な遊技球誘導部材を備えた遊技機の提供を目的とする。
【課題を解決するための手段】
【０００７】
上記目的を達成するため、請求項１にかかる発明は、入口から入球される遊技球を同入口よりも下方に設けられた出口に誘導する遊技球誘導部材を備えた遊技機であって、前記遊技球誘導部材は、上下方向へ配向されつつ略平行且つ時計方向に隣り合うように配置された三以上の複数の支柱と、各支柱から隣り合う一方の支柱へ向けて突出し、所定間隔で螺旋状に設けられる略Ｖ字形の二股部材とを備え、上記二股部材に形成された略Ｖ字形の溝に上記遊技球を徐々に落ち込ませて同二股部材の先端側へ誘導するとともに、同二股部材と隣接する二股部材の付け根部位と上記支柱とより、同遊技球の動きを規制しつつ、同二股部材の先端側を通過させて下方に隣接する二股部材に形成された略Ｖ字形の溝へ誘導する構成としてある。
【発明の効果】
【０００８】
本発明によれば、設置スペースを低減させるとともに、製造効率を向上させることの可能な遊技球誘導部材を備えた遊技機を提供することができる。
【発明を実施するための最良の形態】
【０００９】
以下、図面にもとづいて本発明の実施形態を説明する。
【００１０】
図１は、本発明の一実施形態にかかる遊技球誘導部材が取り付けられた遊技機の前面側を平面図により示している。
【００１１】
同図において、遊技機１００の前面には、略長方形の枠状に形成された前面枠１１が装着され、この前面枠１１の内側に略長方形の枠状に形成された金枠１２が設けられている。金枠１２の上方側には平板形状のガラス扉１３が取り付けられ、下方側には平板形状の前面板１４が取り付けられている。ガラス扉１３の後方には遊技盤１５が配置され、ガラス扉１３を介して視認可能となっている。遊技盤１５の前面のガイドレール１６で囲まれる遊技部１７には、複数の風車１７ａや普通入賞口１７ｂ、遊技球が入賞する入口の大きさが変化する可変入賞口１７ｃ、遊技球が入賞する入口が開閉される大入賞口１７ｄ等が設けられている。また、遊技部１７の略中央部に開口が設けられ、大当たり状態等の状態を表示する表示装置２１が取り付けられている。
【００１２】
前面板１４の前面には、上皿１４ａが取り付けられ、打球される遊技球が収容されるようになっている。また、金枠１２の下方には、上皿１４ａから供給される遊技球を打球する強さを変えるハンドル１８や、余剰球を収容する下皿１９が取り付けられている。なお、前面枠１１の後側には、図示しない景品玉タンクや各種のパチンコ球の処理機構が取り付けられている。
【００１３】
表示装置２１の左右には、遊技球誘導部材３０，３０が配置されている。遊技球誘導部材３０，３０は、図２に示すように、表示装置２１を覆う樹脂カバー２０に取り付けられている。なお、図２は、樹脂カバー２０の背面側を平面図により示している。
【００１４】
同図において、表示装置２１に合わせて形成された開口２２の左右に、遊技球誘導部材３０，３０が取り付けられている。開口２２の上方には上側通過口２３が形成され、上側通過口２３に入った遊技球を誘導路２６，２６にて遊技球誘導部材３０，３０に誘導し、遊技球誘導部材３０，３０の上端に設けられた入口３３，３３に入球させ、下端に設けられた出口３４，３４に誘導する。出口３４，３４から放出された遊技球は、開口２２の下方に設けられたスロープ２４に導かれ、スロープ２４の後側に設けられた下側通過口２５へ流下していく。
【００１５】
図３〜図５は、樹脂カバー２０に取り付けられた二つの遊技球誘導部材３０のうちの一つを側面図、平面図および斜視図により示している。
【００１６】
図５において、遊技球誘導部材３０には、一対の支柱３１，３２が上下方向へ配向されつつ所定間隔をおいて配置されている。また、各支柱３１，３２からは、対向する支柱３２，３１へ向けて互い違いに略Ｖ字形の二股部材３１ａ，３２ａが突出される。なお、支柱３１と二股部材３１ａ、支柱３２と二股部材３２ａは、樹脂により一体成形されるが、複数の部品を組み付けることで形成することも可能であるし、針金などを折り曲げ加工することで形成することも可能である。
【００１７】
このとき、図３および図４に示すように、隣接する二股部材３１ａ，３１ａ（３２ａ，３２ａ）の上下間隔Ｌ１は、遊技球４０の外径Ｒよりもわずかに狭く設定され、各二股部材３１ａ（３２ａ）の先端側間隔Ｌ２は、遊技球４０の外径Ｒよりもわずかに広く設定される。また、二股部材３１ａ（３２ａ）は、先端側と付け根側とが略水平となるように突出されており、各二股部材３１ａ（３２ａ）の先端は、対向する支柱３２，３１から遊技球４０の半径分Ｒ／２だけ離間した位置に設定される。
【００１８】
さらに、遊技球４０が各支柱３１（３２）に近接する際、遊技球４０の上部Ｐ１が上方に隣接する二股部材３１ａ（３２ａ）の分岐部位を介して同二股部材３１ａ（３２ａ）よりも上方へ突出し、遊技球４０の下部Ｐ２が下方に隣接する二股部材３１ａ（３２ａ）の分岐部位を介して同二股部材３１ａ（３２ａ）よりも下方へ突出する。ここで、二股部材３１ａ，３２ａの分岐部位は、本発明にいう二股部材の付け根部位を構成する。
【００１９】
なお、図３〜図５において、各支柱３１，３２の上端の間に形成される間隙は、上述した遊技球４０の入口３３とされ、各支柱３１，３２の下端の間に形成される間隙は、遊技球４０の出口３４とされる。
【００２０】
かかる構成により、遊技球４０が入口３３に入球されると、二股部材３１ａの先端側間隔Ｌ２は遊技球４０の外径Ｒよりも大きく、二股部材３２ａの分岐部位は遊技球４０の外径Ｒよりも小さいため、図３および図４に示す位置Ａに落ち込む。二股部材３２ａに形成された図５に示すＶ字溝３２ａ１の幅（図４における左右方向への幅）は、先端側に向かうにつれて幅広となるため、位置Ａに落とし込まれた遊技球４０は、この二股部材３２ａに形成されたＶ字溝３２ａ１に落とし込まれる割合を高めながら、先端側へ向けて自重により転がっていく。
【００２１】
すると、遊技球４０の外径よりも二股部材３２ａに形成されたＶ字溝３２ａ１の幅が広くなった時点で位置Ｂへ落下する。この際、遊技球４０の上部Ｐ１は、上方に隣接する二股部材３１ａの分岐部位を介して二股部材３１ａの上方に突出し、遊技球４０の下部Ｐ２は、下方に隣接する二股部材３１ａの分岐部位を介して二股部材３１ａの下方に突出する。
【００２２】
従って、位置Ｂに落とし込まれた遊技球４０は、二股部材３２ａの各先端により紙面奥行き方向への動きが規制され、自身の外径Ｒよりも幅狭な各二股部材３１ａ，３１ａの分岐部位により上下方向への動きが規制される。また、支柱３１により左方向への動きが規制される。このため、右方への動きのみが許容されることとなり、上述した位置Ａにおける場合と同様に、二股部材３１ａに形成されたＶ字溝３２ａ１に落とし込まれる割合を高めながら、先端側へ向けて自重により転がっていく。
【００２３】
以上の動作を繰り返しながら、遊技球４０は、最下段に設けられた二股部材３２ａの先端側まで誘導され、遊技球誘導部材３０の下端に設けられた出口３４から放出される。従って、遊技球誘導部材３０に入球された遊技球４０は、図３に示すように、ジグザグに進行方向を左右へ変更しながら下方へ誘導されることで、出口３４から放出される際の勢いが弱められる。
【００２４】
このように、遊技球４０が出口３４から放出される際の勢いを弱めるという観点から、遊技球誘導部材３０を衝撃吸収材で構成することにより、遊技球４０が各支柱３１，３２に衝突しながら進行方向を変更する際、遊技球４０の運動エネルギーを吸収させやすくし、より効果的な遊技球４０の減速を実現させることも可能である。
【００２５】
また、本実施形態にかかる遊技球誘導部材３０にて遊技球４０を流下させるにあたり、遊技球４０の速度を調整したい場合には、各二股部材３１ａ，３２ａを傾斜させることも可能である。すなわち、図６に示すように、各二股部材３１ａ，３２ａの先端側が付け根側よりも下方に位置するように傾斜させると、この傾斜割合に応じて二股部材３１ａ，３２ａ上における遊技球の転がり易さが変わるため、速度調整を行うにあたり有用となる。
【００２６】
以上の説明では、支柱３１，３２と二股部材３１ａ，３２ａにより、遊技球４０の流下経路を厳しく規制しているが、かかる構成は一例にすぎないため、各二股部材３１ａ，３２ａの上下間隔を広めに設定することで、各二股部材３１ａ，３２ａの先端間に落ち込んだ遊技球４０に自由な動きを許容しつつ、下方に隣接する二股部材３１ａ，３２ａに形成されたＶ字溝３２ａ１により誘導させることも可能である。この場合、遊技球４０が二股部材３１ａ，３２ａの間から図３における紙面奥行き方向へ飛び出すおそれがある場合には、各二股部材３１ａ，３２ａから上下方向へガイド部を突設させるなどしても良い。
【００２７】
さらに、本実施形態では、二股部材３１ａ，３２ａが設けられた一対の支柱３１，３２により遊技球誘導部材３０を構成しているが、三以上の複数の支柱を用いて構成することも同様に可能である。
【００２８】
例えば、各二股部材を時計方向に隣接する支柱に向けて突出させ、各支柱の間にて螺旋状に各二股部材を設けていけば、上述した場合と同様に遊技球を流下させることが可能となる。この場合においても、上述したガイド部を必要に応じて各二股部材から突設させると、遊技球の飛び出しを防ぐという観点から有効となる。
【００２９】
さらに、図７に示すように、二股部材３１ａ，３２ａの先端側をそれぞれに連結させることにより、リング状に形成しても良い。かかる構成により、各リングの内部に遊技球を通過させると、本実施形態と同様に遊技球を確実に減速させつつ誘導することができるだけでなく、二股部材の強度を増大させることも可能となる。
【００３０】
このように、僅かなスペースに設置可能であり、かつ、効率良く容易に製造可能な遊技球誘導部材３０に入球された遊技球４０は、二股部材３２ａ（３１ａ）の先端側へ向けてＶ字溝３２ａ１（３１ａ１）により誘導され、同先端側に達すると、二股部材３２ａ（３１ａ）の各先端と、上下に隣接する各二股部材３１ａ，３１ａ（３２ａ，３２ａ）の分岐部位と、支柱３１（３２）とより動きを規制されつつ、下方に隣接する二股部材３１ａ（３２ａ）の分岐部位へ誘導される。この遊技球４０は、ジグザグに進行方向を折り返し変更しながら誘導されること
で減速するため、勢いが弱められた状態で出口３４から放出される。
【図面の簡単な説明】
【００３１】
【図１】本実施形態にかかる遊技球誘導部材が取り付けられた遊技機の前面側を示す平面図である。
【図２】樹脂カバーの背面側を示す平面図である。
【図３】遊技球誘導部材の構成を示す側面図である。
【図４】遊技球誘導部材を一方の支柱側から見た際の平面図である。
【図５】遊技球誘導部材の外観を示す斜視図である。
【図６】変形例にかかる遊技球誘導部材の構成を示す側面図である。
【図７】変形例にかかる二股部材の構成を示す平面図である。
【図８】従来例にかかる表示装置用カバーの背面側を示す平面図である。
【符号の説明】
【００３２】
３０…遊技球誘導部材
３１，３２…支柱
３１ａ，３２ａ…二股部材
３２ａ１…Ｖ字溝
３３…入口
３４…出口
４０…遊技球
１００…遊技機
Ａ，Ｂ…遊技球の位置
Ｌ１…上下間隔
Ｌ２…先端側間隔
Ｐ１…遊技球の上部
Ｐ２…遊技球の下部
Ｒ…遊技球の外径
【図１】
0004711146.tif 000002
【図２】
0004711146.tif 000003
【図３】
0004711146.tif 000004
【図４】
0004711146.tif 000005
【図５】
0004711146.tif 000006
【図６】
0004711146.tif 000007
【図７】
0004711146.tif 000008
【図８】
0004711146.tif 000009